(57)【要約】【課題】  定着領域の中央部と端部との温度差が大きいときに生じる定着用のシートのホットオフセットの発生を防止し、印刷効率の低下を防止すること。【解決手段】  シートサイズを判別するシートサイズ判別手段Ｃ４と、小サイズシート用ヒータｈ１および大サイズシート用ヒータｈ２を有する加熱ヒータＨと、定着領域Ｑ５の中央部温度Ｔ１に対応する温度を検出する中央部温度センサＳＮ１および端部温度Ｔ２に対応する温度を検出する端部温度センサＳＮ２を有する定着領域温度センサＳＮ１＋ＳＮ２と、加熱ヒータＨのオンオフ制御をジョブモードで制御するジョブモードヒータ制御手段Ｃ３Ｅ１とジョブの終了後の所定期間は加熱ヒータのオンオフ制御を待機モードで制御する待機モードヒータ制御手段Ｃ３Ｅ２とを有するヒータ制御手段Ｃ３Ｅとを備えた画像形成装置。【選択図】図４
2006259329.tif 000002
【特許請求の範囲】
【請求項１】
次の構成要件（Ａ01）〜（Ａ013）を備えた画像形成装置、
（Ａ01）感光体表面に静電潜像を形成し、前記感光体表面の静電潜像をトナー画像に現像するトナー画像形成装置、
（Ａ02）画像形成用のシートを搬送するシート搬送装置、
（Ａ03）前記トナー画像形成装置により形成されたトナー画像を前記シートに転写する転写装置、
（Ａ04）前記シート搬送装置により搬送されるシート搬送路の途中に配置された互いに圧接する加熱回転部材および加圧回転部材を有する一対の定着用回転部材と、前記加熱回転部材を加熱する加熱ヒータとを備え、前記一対の定着用回転部材の圧接領域である定着領域を通過する前記シート上のトナー画像を加熱定着する定着装置、
（Ａ05）前記定着領域を通過するシートのシート幅を検出するシート幅検出手段、
（Ａ06）前記定着領域を通過するシートの前記シート幅が設定された閾値より小さいシート幅の小サイズシートであるか、前記閾値より大きいシート幅の大サイズシートであるかを判別するシートサイズ判別手段、
（Ａ07）前記小サイズシートが通過する定着領域である小サイズシート通過域を加熱する小サイズシート用ヒータおよび前記大サイズシートが通過する定着領域である大サイズシート通過域を加熱する大サイズシート用ヒータを有する前記加熱ヒータ、
（Ａ08）前記定着領域の中央部温度に対応する温度を検出する中央部温度センサおよび端部温度に対応する温度を検出する端部温度センサを有する定着領域温度センサ、
（Ａ09）画像記録動作であるジョブの開始を指示するジョブ開始信号を出力するジョブ開始信号出力手段、
（Ａ010）前記ジョブ開始信号が出力されてからジョブが終了するまでの間は前記加熱ヒータのオンオフ制御をジョブモードで制御するジョブモードヒータ制御手段と、前記ジョブの終了後の所定期間は前記加熱ヒータのオンオフ制御を待機モードで制御する待機モードヒータ制御手段とを有するヒータ制御手段、
（Ａ011）前記中央部温度センサの中央部検出温度と、前記端部温度センサの端部検出温度とに応じて、前記中央部検出温度と前記端部検出温度との差の絶対値である温度差を検出する温度差検出手段、
（Ａ012）前記温度差の温度差許容設定値を記憶する温度差許容設定値記憶手段、
（Ａ013）前記待機モードの開始時に前記温度差が前記温度差許容設定値より大きい場合には、所定の待機時ヒータオフモード解除条件が成立するまで前記加熱ヒータをオフ状態に保持する待機時ヒータオフモードを有する前記待機モードヒータ制御手段。
【請求項２】
次の構成要件（Ａ014）を備えた請求項１記載の画像形成装置、
（Ａ014）前記待機時ヒータオフモードで動作中に前記温度差が前記温度差許容設定値になった場合に前記待機時ヒータオフモード解除条件が成立したものとして前記待機時ヒータオフモードを解除する前記待機モードヒータ制御手段。
【請求項３】
次の構成要件（Ａ015）を備えた請求項１記載の画像形成装置、
（Ａ015）前記待機時ヒータオフモードで動作中にジョブ開始信号が出力された場合に前記待機時ヒータオフモード解除条件が成立したものとして前記待機時ヒータオフモードを解除する前記待機モードヒータ制御手段。
【請求項４】
次の構成要件（Ａ01）〜（Ａ012），（Ａ016）を備えた画像形成装置、
（Ａ01）感光体表面に静電潜像を形成し、前記感光体表面の静電潜像をトナー画像に現像するトナー画像形成装置、
（Ａ02）画像形成用のシートを搬送するシート搬送装置、
（Ａ03）前記トナー画像形成装置により形成されたトナー画像を前記シートに転写する転写装置、
（Ａ04）前記シート搬送装置により搬送されるシート搬送路の途中に配置された互いに圧接する加熱回転部材および加圧回転部材を有する一対の定着用回転部材と、前記加熱回転部材を加熱する加熱ヒータとを備え、前記一対の定着用回転部材の圧接領域である定着領域を通過する前記シート上のトナー画像を加熱定着する定着装置、
（Ａ05）前記定着領域を通過するシートのシート幅を検出するシート幅検出手段、
（Ａ06）前記定着領域を通過するシートの前記シート幅が設定された閾値より小さいシート幅の小サイズシートであるか、前記閾値より大きいシート幅の大サイズシートであるかを判別するシートサイズ判別手段、
（Ａ07）前記小サイズシートが通過する定着領域である小サイズシート通過域を加熱する小サイズシート用ヒータおよび前記大サイズシートが通過する定着領域である大サイズシート通過域を加熱する大サイズシート用ヒータを有する前記加熱ヒータ、
（Ａ08）前記定着領域の中央部温度に対応する温度を検出する中央部温度センサおよび端部温度に対応する温度を検出する端部温度センサを有する定着領域温度センサ、
（Ａ09）画像記録動作であるジョブの開始を指示するジョブ開始信号を出力するジョブ開始信号出力手段、
（Ａ010）前記ジョブ開始信号が出力されてからジョブが終了するまでの間は前記加熱ヒータのオンオフ制御をジョブモードで制御するジョブモードヒータ制御手段と、前記ジョブの終了後の所定期間は前記加熱ヒータのオンオフ制御を待機モードで制御する待機モードヒータ制御手段とを有するヒータ制御手段、
（Ａ011）前記中央部温度センサの中央部検出温度と、前記端部温度センサの端部検出温度とに応じて、前記中央部検出温度と前記端部検出温度との差の絶対値である温度差を検出する温度差検出手段、
（Ａ012）前記温度差の温度差許容設定値を記憶する温度差許容設定値記憶手段、
（Ａ016）前記待機期間の開始時に前記温度差が前記温度差許容設定値より大きい場合には、所定のジョブ時ヒータオフモード解除条件が成立するまで前記加熱ヒータをオフ状態に保持するジョブ時ヒータオフモードを有する前記ジョブモードヒータ制御手段。
【請求項５】
次の構成要件（Ａ017），（Ａ018）を備えた請求項４記載の画像形成装置、
（Ａ017）前記ジョブモードの開始時に前記温度差が前記温度差許容設定値より大きい場合には、所定のジョブ時ヒータオフモード解除用時間がセットされるジョブ時ヒータオフモード解除用タイマ、
（Ａ018）前記ジョブ時ヒータオフモードで動作中にジョブ時ヒータオフモード解除用タイマがタイムアップした場合に前記ジョブ時ヒータオフモード解除条件が成立したものとして前記ジョブ時ヒータオフモードを解除する前記ジョブモードヒータ制御手段。
【請求項６】
次の構成要件（Ａ019），（Ａ020）を備えた請求項４記載の画像形成装置、
（Ａ019）前記ジョブモードの開始時に前記温度差が前記温度差許容設定値より大きい場合には、前記端部温度センサの前記端部検出温度が所定のジョブ時ヒータオフモード解除用設定温度以下になったか否かを常時監視する端部温度監視手段、
（Ａ020）前記ジョブ時ヒータオフモードで動作中に前記端部温度センサの検出温度が前記ジョブ時ヒータオフモード解除用設定温度以下になった場合に前記ジョブ時ヒータオフモード解除条件が成立したものとして前記ジョブ時ヒータオフモードを解除する前記ジョブモードヒータ制御手段。
【請求項７】
次の構成要件（Ａ021），（Ａ022）を備えた請求項１ないし６のいずれか記載の画像形成装置、
（Ａ021）異常温度上限設定値を記憶する異常温度設定値記憶手段、
（Ａ022）前記待機モード時において、前記中央部温度センサの中央部検出温度が前記異常温度上限値より大きくなったとき、または前記端部温度センサの前記端部検出温度が前記異常温度上限設定値より大きくなったときに温度異常を告知する温度異常告知手段。
【請求項８】
次の構成要件（Ａ023）を備えた請求項７記載の画像形成装置、
（Ａ023）前記中央部温度センサの前記中央部検出温度が前記異常温度下限設定値より小さくなったとき、または前記端部温度センサの前記端部検出温度が前記異常温度下限設定値より小さくなったときに、前記待機モードヒータ制御手段が前記加熱ヒータをオフ状態に保持する待機時ヒータオフモードで動作中のときには、前記温度異常告知手段の温度異常を告知する動作を禁止するヒータオフモード時温度異常告知禁止手段。
【請求項９】
次の構成要件（Ａ024）を備えた請求項７または８記載の画像形成装置、
（Ａ024）前記中央部温度センサの前記中央部検出温度が前記異常温度下限設定値より小さくなったとき、または前記端部温度センサの前記端部検出温度が前記異常温度下限設定値より小さくなったときに、前記ジョブモードヒータ制御手段が前記加熱ヒータをオフ状態に保持するジョブ時ヒータオフモードで動作中のときには、前記温度異常告知手段の温度異常を告知する動作を禁止するヒータオフモード時温度異常告知禁止手段。
【発明の詳細な説明】
【技術分野】
【０００１】
本発明は、トナー像を転写された記録シートが一対の定着用回転部材の圧接領域である定着領域を通過する際に、前記記録シート上のトナー像が加熱定着される電子写真方式の複写機、ＦＡＸ（ファクシミリ）、プリンタ等の画像形成装置に関し、特に、前記定着領域の温度分布の不均一によるホットオフセット（熱ローラ定着方式において、過熱されたトナーの凝集力が定着ローラおよび記録シートとの接着力を下回り、トナー層が分断して起こるオフセット現象）を防止する機能を有する画像形成装置に関する。
【背景技術】
【０００２】
前記定着領域は、シート幅の小さな小サイズシートとシート幅の大きな大サイズシートとが通過するため小サイズシートが通過する小サイズシート通過領域と大サイズシートが通過する大サイズシート通過領域とに分けられる。前記小サイズシート通過領域は、大サイズシート通過領域よりも幅が狭く、前記大サイズシート通過領域と重なっている。すなわち、小サイズシート通過領域は、小サイズシートおよび大サイズシートの両サイズのシートが通過する領域である。したがって、大サイズシート通過領域は、前記大小両サイズのシートが通過する小サイズシート通過領域と、小サイズシートは通過せず大サイズシートのみが通過する大サイズシート専用通過領域とを有している。前記大サイズシート通過領域のシート幅方向の中央部に前記小サイズシート通過領域が配置されている場合、前記小サイズシート通過領域の両側に大サイズシート専用通過領域が配置される。
【０００３】
前記定着領域を形成する定着用回転部材は、加熱用回転部材と加圧用回転部材とを有しており、前記加熱用回転部材の中には、一般的に、加熱用のヒータが内蔵されている。
前記定着領域を加熱する加熱ヒータは、前記小サイズシート通過領域のみを加熱するヒータと、前記大サイズシート専用通過領域を加熱するヒータとにより構成されることが多い。前記小サイズシート通過領域が大サイズシート通過領域の中央部に配置されている場合、前記定着領域を加熱する加熱ヒータは、前記定着領域の中央部の小サイズシート通過領域を加熱する中央部ヒータと、前記小サイズシート通過領域の両側の大サイズシート専用通過領域を加熱する端部ヒータとにより構成されることがある。
【０００４】
前記構成を有する加熱ヒータを備えた定着装置では、前記小サイズシート通過領域の幅以下のシートを連続印刷する場合、端部ヒータはオフにして、中央部ヒータのみをオンオフ制御しながら連続印刷を実行する。この場合に使用するシートが前記小サイズシート通過領域の幅よりも狭いときには、そのシートが通過しない小サイズシート通過領域の端部は、シートによる熱吸収が無いため、温度が上昇してしまう。このため、小サイズシート通過領域の端部（前記大サイズシート専用通過領域との境界部）が高温となり、端部と中央部とに温度差が生じる。前記温度差が所定値よりも高い状態で、前記小サイズシート通過領域の幅より幅の広い大サイズシートに印刷を行うと、ホットオフセットが生じるという問題点がある。
【０００５】
前記ホットオフセットを防止する技術として、例えば、特許文献１（特開平８−１０１６０１号公報）記載の技術が従来公知である。
特許文献１には、定着領域の中央部温度と端部温度温度との温度差が基準値以上のときには、ヒートローラの駆動を停止する技術が記載されている。
【特許文献１】特開平８−１０１６０１号公報
【発明の開示】
【発明が解決しようとする課題】
【０００６】
（前記特許文献１記載の従来技術の問題点）
前記従来技術では、定着領域の中央部と端部との温度差が基準値以上のときには、小サイズシートの印刷も停止することになる。ところが、ジョブで使用する用紙幅が小サイズシートである場合には、前記温度差があっても、印刷を停止する必要がないのに、印刷停止することは、印刷効率の低下を招くことになる。
【０００７】
本発明は、前述の事情に鑑み、次の記載内容（Ｏ01），（Ｏ02）を課題とする。
（Ｏ01）定着領域の中央部と端部との温度差が大きいときに生じる定着用のシートのホットオフセットの発生を防止すること。
（Ｏ02）印刷効率の低下を防止すること。
【課題を解決するための手段】
【０００８】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００９】
（第１発明）
前記課題を解決するために、第１発明の画像形成装置は、次の構成要件（Ａ01）〜（Ａ013）を備えたことを特徴とする。
（Ａ01）感光体（Ｐｋ〜Ｐｙ）表面に静電潜像を形成し、前記感光体（Ｐｋ〜Ｐｙ）表面の静電潜像をトナー画像に現像するトナー画像形成装置（Ｕ）、
（Ａ02）画像形成用のシート（Ｓ）を搬送するシート搬送装置（ＳＨ）、
（Ａ03）前記トナー画像形成装置（Ｕ）により形成されたトナー画像を前記シート（Ｓ）に転写する転写装置（ＢＭ＋Ｔ２）、
（Ａ04）前記シート搬送装置（ＳＨ）により搬送されるシート搬送路（ＳＨ１〜ＳＨ３）の途中に配置された互いに圧接する加熱回転部材（Ｆｈ）および加圧回転部材（Ｆｐ）を有する一対の定着用回転部材（Ｆｈ，Ｆｐ）と、前記加熱回転部材（Ｆｈ）を加熱する加熱ヒータ（Ｈ）とを備え、前記一対の定着用回転部材（Ｆｈ，Ｆｐ）の圧接領域である定着領域（Ｑ５）を通過する前記シート（Ｓ）上のトナー画像を加熱定着する定着装置（Ｆ）、
（Ａ05）前記定着領域（Ｑ５）を通過するシート（Ｓ）のシート幅（Ｂ）を検出するシート幅検出手段（Ｃ４Ａ）、
（Ａ06）前記定着領域（Ｑ５）を通過するシート（Ｓ）の前記シート幅（Ｂ）が設定された閾値（Ｂａ）より小さいシート幅（Ｂ１）の小サイズシート（Ｓ１）であるか、前記閾値（Ｂａ）より大きいシート幅（Ｂ２）の大サイズシート（Ｓ２）であるかを判別するシートサイズ判別手段（Ｃ４）、
（Ａ07）前記小サイズシート（Ｓ１）が通過する定着領域（Ｑ５）である小サイズシート通過域を加熱する小サイズシート用ヒータ（ｈ１）および前記大サイズシート（Ｓ２）が通過する定着領域（Ｑ５）である大サイズシート通過域を加熱する大サイズシート用ヒータ（ｈ２）を有する前記加熱ヒータ（Ｈ）、
（Ａ08）前記定着領域（Ｑ５）の中央部温度（Ｔ１）に対応する温度を検出する中央部温度センサ（ＳＮ１）および端部温度（Ｔ２）に対応する温度を検出する端部温度センサ（ＳＮ２）を有する定着領域温度センサ（ＳＮ１＋ＳＮ２）、
（Ａ09）画像記録動作であるジョブの開始を指示するジョブ開始信号を出力するジョブ開始信号出力手段（Ｃ１）、
（Ａ010）前記ジョブ開始信号が出力されてからジョブが終了するまでの間は前記加熱ヒータ（Ｈ）のオンオフ制御をジョブモードで制御するジョブモードヒータ制御手段（Ｃ３Ｅ１）と、前記ジョブの終了後の所定期間は前記加熱ヒータのオンオフ制御を待機モードで制御する待機モードヒータ制御手段（Ｃ３Ｅ２）とを有するヒータ制御手段（Ｃ３Ｅ）、
（Ａ011）前記中央部温度センサ（ＳＮ１）の中央部検出温度（Ｔ１）と、前記端部温度センサ（ＳＮ２）の端部検出温度（Ｔ２）とに応じて、前記中央部検出温度（Ｔ１）と前記端部検出温度（Ｔ２）との差の絶対値である温度差（｜Ｔ１−Ｔ２｜＝ΔＴ）を検出する温度差検出手段（Ｃ３Ｅ３）、
（Ａ012）前記温度差（ΔＴ）の温度差許容設定値（ΔＴｍ）を記憶する温度差許容設定値記憶手段（Ｃ３Ｅ４）、
（Ａ013）前記待機モードの開始時に前記温度差（ΔＴ）が前記温度差許容設定値（ΔＴｍ）より大きい場合（ΔＴ＞ΔＴｍ）には、所定の待機時ヒータオフモード解除条件が成立するまで前記加熱ヒータ（Ｈ）をオフ状態に保持する待機時ヒータオフモードを有する前記待機モードヒータ制御手段（Ｃ３Ｅ２）。
【００１０】
（第１発明の作用）
前記構成要件（Ａ01）〜（Ａ013）を備えた第１発明の画像形成装置では、トナー画像形成装置（Ｕ）は、感光体（Ｐｋ〜Ｐｙ）表面に静電潜像を形成し、前記感光体（Ｐｋ〜Ｐｙ）表面の静電潜像をトナー画像に現像する。シート搬送装置（ＳＨ）は、画像形成用のシート（Ｓ）を搬送する。転写装置（ＢＭ＋Ｔ２）は、前記トナー画像形成装置（Ｕ）により形成されたトナー画像を前記シート（Ｓ）に転写する。
前記シート搬送装置（ＳＨ）により搬送されるシート搬送路（ＳＨ１〜ＳＨ３）の途中に配置された互いに圧接する加熱回転部材（Ｆｈ）および加圧回転部材（Ｆｐ）を有する一対の定着用回転部材（Ｆｈ，Ｆｐ）と、前記加熱回転部材（Ｆｈ）を加熱する加熱ヒータ（Ｈ）とを備えた定着装置（Ｆ）は、前記一対の定着用回転部材（Ｆｈ，Ｆｐ）の圧接領域である定着領域（Ｑ５）を通過する前記シート（Ｓ）上のトナー画像を加熱定着する。
シート幅検出手段（Ｃ４Ａ）は、前記定着領域（Ｑ５）を通過するシート（Ｓ）のシート幅（Ｂ）を検出する。シートサイズ判別手段（Ｃ４）は、前記定着領域（Ｑ５）を通過するシート（Ｓ）の前記シート幅（Ｂ）が設定された閾値（Ｂａ）より小さいシート幅（Ｂ１）の小サイズシート（Ｓ１）であるか、前記閾値（Ｂａ）より大きいシート幅（Ｂ２）の大サイズシート（Ｓ２）であるかを判別する。
前記加熱ヒータ（Ｈ）は、小サイズシート用ヒータ（ｈ１）および大サイズシート用ヒータ（ｈ２）を有している。前記小サイズシート用ヒータ（ｈ１）は前記小サイズシート（Ｓ１）が通過する定着領域（Ｑ５）である小サイズシート通過域を加熱する。前記大サイズシート用ヒータ（ｈ２）は前記大サイズシート（Ｓ２）が通過する定着領域（Ｑ５）である大サイズシート通過域を加熱する。
定着領域温度センサ（ＳＮ１＋ＳＮ２）は、中央部温度センサ（ＳＮ１）および端部温度センサ（ＳＮ２）を有する。前記中央部温度センサ（ＳＮ１）は前記定着領域（Ｑ５）の中央部温度（Ｔ１）に対応する温度を検出する。前記端部温度センサ（ＳＮ２）は前記定着領域（Ｑ５）の端部温度（Ｔ２）に対応する温度を検出する。
ジョブ開始信号出力手段（Ｃ１）は、画像記録動作であるジョブの開始を指示するジョブ開始信号を出力する。ヒータ制御手段（Ｃ３Ｅ）は、ジョブモードヒータ制御手段（Ｃ３Ｅ１）と待機モードヒータ制御手段（Ｃ３Ｅ２）とを有する。前記ジョブモードヒータ制御手段（Ｃ３Ｅ１）は前記ジョブ開始信号が出力されてからジョブが終了するまでの間の前記加熱ヒータ（Ｈ）のオンオフ制御を行う。待機モードヒータ制御手段（Ｃ３Ｅ２）は、前記ジョブの終了後の所定期間は前記加熱ヒータ（Ｈ）のオンオフ制御を待機モードで制御する。
温度差検出手段（Ｃ３Ｅ３）は、前記中央部温度センサ（ＳＮ１）の中央部検出温度（Ｔ１）と、前記端部温度センサ（ＳＮ２）の端部検出温度（Ｔ２）とに応じて、前記中央部検出温度（Ｔ１）と前記端部検出温度（Ｔ２）との差の絶対値である温度差（｜Ｔ１−Ｔ２｜＝ΔＴ）を検出する。温度差許容設定値記憶手段（Ｃ３Ｅ４）は、前記温度差（ΔＴ）の温度差許容設定値（ΔＴｍ）を記憶する。
待機時ヒータオフモードを有する前記待機モードヒータ制御手段（Ｃ３Ｅ２）は、前記待機モードの開始時に前記温度差（ΔＴ）が前記温度差許容設定値（ΔＴｍ）より大きい場合（ΔＴ＞ΔＴｍ）には、所定の待機時ヒータオフモード解除条件が成立するまで前記加熱ヒータ（Ｈ）をオフ状態に保持する。
【００１１】
（本発明の形態１）
本発明の形態１の画像形成装置は、前記第１発明において次の構成要件（Ａ014）を備えたことを特徴とする。
（Ａ014）前記待機時ヒータオフモードで動作中に前記温度差（ΔＴ）が前記温度差許容設定値（ΔＴｍ）以上になった場合（ΔＴ≦ΔＴｍ）に前記待機時ヒータオフモード解除条件が成立したものとして前記待機時ヒータオフモードを解除する前記待機モードヒータ制御手段（Ｃ３Ｅ２）。
（本発明の形態１の作用）
前記構成要件（Ａ014）を備えた本発明の形態１の画像形成装置では、前記ヒータ制御手段（Ｃ３Ｅ）は、前記待機時ヒータオフモードで動作中に前記温度差（ΔＴ）が前記温度差許容設定値（ΔＴｍ）以上になった場合（ΔＴ≦ΔＴｍ）に前記待機時ヒータオフモード解除条件が成立したものとして前記待機時ヒータオフモードを解除する。
【００１２】
（本発明の形態２）
本発明の形態２の画像形成装置は、前記第１発明において次の構成要件（Ａ015）を備えたことを特徴とする。
（Ａ015）前記待機時ヒータオフモードで動作中にジョブ開始信号が出力された場合に前記待機時ヒータオフモード解除条件が成立したものとして前記待機時ヒータオフモードを解除する前記待機モードヒータ制御手段（Ｃ３Ｅ２）。
（本発明の形態２の作用）
前記構成要件（Ａ015）を備えた本発明の形態２の画像形成装置では、前記ヒータ制御手段（Ｃ３Ｅ）は、前記待機時ヒータオフモードで動作中にジョブ開始信号が出力された場合に前記待機時ヒータオフモード解除条件が成立したものとして前記待機時ヒータオフモードを解除する。
【００１３】
（第２発明）
第２発明の画像形成装置は、次の構成要件（Ａ01）〜（Ａ012），（Ａ016）を備えたことを特徴とする。
（Ａ01）感光体（Ｐｋ〜Ｐｙ）表面に静電潜像を形成し、前記感光体（Ｐｋ〜Ｐｙ）表面の静電潜像をトナー画像に現像するトナー画像形成装置（Ｕ）、
（Ａ02）画像形成用のシート（Ｓ）を搬送するシート搬送装置（ＳＨ）、
（Ａ03）前記トナー画像形成装置（Ｕ）により形成されたトナー画像を前記シート（Ｓ）に転写する転写装置（ＢＭ＋Ｔ２）、
（Ａ04）前記シート搬送装置（ＳＨ）により搬送されるシート搬送路（ＳＨ１〜ＳＨ３）の途中に配置された互いに圧接する加熱回転部材（Ｆｈ）および加圧回転部材（Ｆｐ）を有する一対の定着用回転部材（Ｆｈ，Ｆｐ）と、前記加熱回転部材（Ｆｈ）を加熱する加熱ヒータ（Ｈ）とを備え、前記一対の定着用回転部材（Ｆｈ，Ｆｐ）の圧接領域である定着領域（Ｑ５）を通過する前記シート（Ｓ）上のトナー画像を加熱定着する定着装置（Ｆ）、
（Ａ05）前記定着領域（Ｑ５）を通過するシート（Ｓ）のシート幅（Ｂ）を検出するシート幅検出手段（Ｃ４Ａ）、
（Ａ06）前記定着領域（Ｑ５）を通過するシート（Ｓ）の前記シート幅（Ｂ）が設定された閾値（Ｂａ）より小さいシート幅（Ｂ１）の小サイズシート（Ｓ１）であるか、前記閾値（Ｂａ）より大きいシート幅（Ｂ２）の大サイズシート（Ｓ２）であるかを判別するシートサイズ判別手段（Ｃ４）、
（Ａ07）前記小サイズシート（Ｓ１）が通過する定着領域（Ｑ５）である小サイズシート通過域を加熱する小サイズシート用ヒータ（ｈ１）および前記大サイズシート（Ｓ２）が通過する定着領域（Ｑ５）である大サイズシート通過域を加熱する大サイズシート用ヒータ（ｈ２）を有する前記加熱ヒータ（Ｈ）、
（Ａ08）前記定着領域（Ｑ５）の中央部温度（Ｔ１）に対応する温度を検出する中央部温度センサ（ＳＮ１）および端部温度（Ｔ２）に対応する温度を検出する端部温度センサ（ＳＮ２）を有する定着領域温度センサ（ＳＮ１＋ＳＮ２）、
（Ａ09）画像記録動作であるジョブの開始を指示するジョブ開始信号を出力するジョブ開始信号出力手段（Ｃ１）、
（Ａ010）前記ジョブ開始信号が出力されてからジョブが終了するまでの間は前記加熱ヒータのオンオフ制御をジョブモードで制御するジョブモードヒータ制御手段（Ｃ３Ｅ１）と、前記ジョブの終了後の所定期間は前記加熱ヒータのオンオフ制御を待機モードで制御する待機モードヒータ制御手段（Ｃ３Ｅ２）とを有するヒータ制御手段（Ｃ３Ｅ）、
（Ａ011）前記中央部温度センサ（ＳＮ１）の中央部検出温度（Ｔ１）と、前記端部温度センサ（ＳＮ２）の端部検出温度（Ｔ２）とに応じて、前記中央部検出温度（Ｔ１）と前記端部検出温度（Ｔ２）との差の絶対値である温度差（｜Ｔ１−Ｔ２｜＝ΔＴ）を検出する温度差検出手段（Ｃ３Ｅ３）、
（Ａ012）前記温度差（ΔＴ）が前記温度差許容設定値（ΔＴｍ）以上になった場合（ΔＴ≦ΔＴｍ）を記憶する温度差許容設定値記憶手段（Ｃ３Ｅ４）、
（Ａ016）前記待機期間の開始時に前記温度差（ΔＴ）が前記温度差許容設定値（ΔＴｍ）より大きくなった場合（ΔＴ＞ΔＴｍ）には、所定のジョブ時ヒータオフモード解除条件が成立するまで前記加熱ヒータ（Ｈ）をオフ状態に保持するジョブ時ヒータオフモードを有する前記ジョブモードヒータ制御手段（Ｃ３Ｅ１）。
【００１４】
（第２発明の作用）
前記構成要件（Ａ01）〜（Ａ012），（Ａ016）を備えた第２発明の画像形成装置では、前記構成要件（Ａ01）〜（Ａ012）により奏される作用は前記第１発明と同様である。前記構成要件（Ａ016）を備えた第２発明では、前記ジョブモードヒータ制御手段（Ｃ３Ｅ１）は、ジョブ時ヒータオフモードにおいて、前記待機期間の開始時に前記温度差（ΔＴ）が前記温度差許容設定値（ΔＴｍ）より大きくなった場合（ΔＴ＞ΔＴｍ）に、所定のジョブ時ヒータオフモード解除条件が成立するまで前記加熱ヒータ（Ｈ）をオフ状態に保持する。
【００１５】
（本発明の形態３）
本発明の形態３の画像形成装置は、前記第２発明において次の構成要件（Ａ017），（Ａ018）を備えたことを特徴とする。
（Ａ017）前記ジョブモードの開始時に前記温度差（ΔＴ）が前記温度差許容設定値（ΔＴｍ）より大きくなった場合（ΔＴ＞ΔＴｍ）には、所定のジョブ時ヒータオフモード解除用時間がセットされるジョブ時ヒータオフモード解除用タイマ（ＴＭ）、
（Ａ018）前記ジョブ時ヒータオフモードで動作中にジョブ時ヒータオフモード解除用タイマ（ＴＭ）がタイムアップした場合に前記ジョブ時ヒータオフモード解除条件が成立したものとして前記ジョブ時ヒータオフモードを解除する前記ジョブモードヒータ制御手段（Ｃ３Ｅ１）。
（本発明の形態３の作用）
前記構成要件（Ａ017），（Ａ018）を備えた本発明の形態３の画像形成装置では、ジョブ時ヒータオフモード解除用タイマ（ＴＭ）は、前記ジョブモードの開始時に前記温度差（ΔＴ）が前記温度差許容設定値（ΔＴｍ）より大きくなった場合（ΔＴ＞ΔＴｍ）には、所定のジョブ時ヒータオフモード解除用時間がセットされる。前記ヒータ制御手段（Ｃ３Ｅ）は、前記ジョブ時ヒータオフモードで動作中にジョブ時ヒータオフモード解除用タイマ（ＴＭ）がタイムアップした場合に前記ジョブ時ヒータオフモード解除条件が成立したものとして前記ジョブ時ヒータオフモードを解除する。
【００１６】
（本発明の形態４）
本発明の形態４の画像形成装置は、前記第２発明において次の構成要件（Ａ019），（Ａ020）を備えたことを特徴とする。
（Ａ019）前記ジョブモードの開始時に前記温度差（ΔＴ）が前記温度差許容設定値（ΔＴｍ）より大きくなった場合（ΔＴ＞ΔＴｍ）には、前記端部温度センサ（ＳＮ２）の端部検出温度（Ｔ２）が所定のジョブ時ヒータオフモード解除用設定温度（Ｔｅ）以下になったか否かを常時監視する端部温度監視手段（Ｃ３Ｅ１ｂ）、
（Ａ020）前記ジョブ時ヒータオフモードで動作中に前記端部温度センサ（ＳＮ２）の端部検出温度（Ｔ２）が前記ジョブ時ヒータオフモード解除用設定温度（Ｔｅ）以下になった場合に前記ジョブ時ヒータオフモード解除条件が成立したものとして前記ジョブ時ヒータオフモードを解除する前記ジョブモードヒータ制御手段（Ｃ３Ｅ１）。
（本発明の形態４の作用）
前記構成要件（Ａ019），（Ａ020）を備えた本発明の形態４の画像形成装置では、端部温度監視手段（Ｃ３Ｅ１ｂ）は、前記ジョブモードの開始時に前記温度差（ΔＴ）が前記温度差許容設定値（ΔＴｍ）より大きくなった場合（ΔＴ＞ΔＴｍ）には、前記端部温度センサ（ＳＮ２）の端部検出温度（Ｔ２）が所定のジョブ時ヒータオフモード解除用設定温度（Ｔｅ）以下になったか否かを常時監視する。
前記ヒータ制御手段（Ｃ３Ｅ）は、前記ジョブ時ヒータオフモードで動作中に前記端部温度センサ（ＳＮ２）の端部検出温度（Ｔ２）が前記ジョブ時ヒータオフモード解除用設定温度（Ｔｅ）以下になった場合に前記ジョブ時ヒータオフモード解除条件が成立したものとして前記ジョブ時ヒータオフモードを解除する。
【００１７】
（本発明の形態５）
本発明の形態５の画像形成装置は、前記第１発明または本発明の形態１ないし４のいずれかにおいて、次の構成要件（Ａ021），（Ａ022）を備えたことを特徴とする。
（Ａ021）異常温度上限設定値（Ｔｆ）を記憶する異常温度設定値記憶手段（Ｃ５ａ）、
（Ａ022）前記待機モード時において、前記中央部温度センサ（ＳＮ１）の中央部検出温度（Ｔ１）が前記異常温度上限設定値（Ｔｆ）より大きくなったとき、または端部温度センサ（ＳＮ２）の端部検出温度（Ｔ２）前記異常温度上限設定値（Ｔｆ）より大きくなったときに温度異常を告知する温度異常告知手段（Ｃ５）。
（本発明の形態５の作用）
前記構成要件（Ａ021），（Ａ022）を備えた本発明の形態５の画像形成装置では、異常温度設定値記憶手段（Ｃ５ａ）は、異常温度上限設定値（Ｔｆ）を記憶する。
温度異常告知手段（Ｃ５）は、前記待機モード時において、前記中央部温度センサ（ＳＮ１）の中央部検出温度（Ｔ１）が前記異常温度上限設定値（Ｔｆ）より大きくなったとき、または端部温度センサ（ＳＮ２）の端部検出温度（Ｔ２）が前記異常温度上限設定値（Ｔｆ）より大きくなったときに温度異常を告知する。
【００１８】
（本発明の形態６）
本発明の形態６の画像形成装置は、前記本発明の形態５において、次の構成要件（Ａ023）を備えたことを特徴とする。
（Ａ023）前記中央部温度センサ（ＳＮ１）の中央部検出温度（Ｔ１）が前記異常温度下限設定値（Ｔａ）より小さくなったとき、または端部温度センサ（ＳＮ２）の端部検出温度（Ｔ２）が前記異常温度下限設定値（Ｔａ）より小さくなったときに、前記待機モードヒータ制御手段（Ｃ３Ｅ２）が前記加熱ヒータ（Ｈ）をオフ状態に保持する待機時ヒータオフモードで動作中のときには、前記温度異常告知手段（Ｃ５）の温度異常を告知する動作を禁止するヒータオフモード時温度異常告知禁止手段（Ｃ６）。
【００１９】
（本発明の形態６の作用）
前記構成要件（Ａ023）を備えた本発明の形態６の画像形成装置では、前記中央部温度センサ（ＳＮ１）の中央部検出温度（Ｔ１）が前記異常温度下限設定値（Ｔａ）より小さくなったとき、または端部温度センサ（ＳＮ２）の端部検出温度（Ｔ２）が前記異常温度下限設定値（Ｔａ）より小さくなったときに、前記待機モードヒータ制御手段（Ｃ３Ｅ２）が前記加熱ヒータ（Ｈ）をオフ状態に保持する待機時ヒータオフモードで動作中のときには、ヒータオフモード時温度異常告知禁止手段（Ｃ６）は、前記温度異常告知手段（Ｃ５）の温度異常を告知する動作を禁止する。
【００２０】
（本発明の形態７）
本発明の形態７の画像形成装置は、前記本発明の形態５または６において、次の構成要件（Ａ024）を備えたことを特徴とする。
（Ａ024）前記中央部温度センサ（ＳＮ１）の中央部検出温度（Ｔ１）が前記異常温度下限設定値（Ｔａ）より小さくなったとき、または端部温度センサ（ＳＮ２）の端部検出温度（Ｔ２）が前記異常温度下限設定値（Ｔａ）より小さくなったときに、前記ジョブモードヒータ制御手段（Ｃ３Ｅ１）が前記加熱ヒータ（Ｈ）をオフ状態に保持するジョブ時ヒータオフモードで動作中のときには、前記温度異常告知手段（Ｃ５）の温度異常を告知する動作を禁止するヒータオフモード時温度異常告知禁止手段（Ｃ６）。
【００２１】
（本発明の形態７の作用）
前記構成要件（Ａ024）を備えた本発明の形態７の画像形成装置では、前記中央部温度センサ（ＳＮ１）の中央部検出温度（Ｔ１）が前記異常温度下限設定値（Ｔａ）より小さくなったとき、または端部温度センサ（ＳＮ２）の端部検出温度（Ｔ２）が前記異常温度下限設定値（Ｔａ）より小さくなったときに、前記ジョブモードヒータ制御手段（Ｃ３Ｅ１）が前記加熱ヒータ（Ｈ）をオフ状態に保持するジョブ時ヒータオフモードで動作中のときには、ヒータオフモード時温度異常告知禁止手段（Ｃ６）は、前記温度異常告知手段（Ｃ５）の温度異常を告知する動作を禁止する。
【発明の効果】
【００２２】
前述の本発明の画像形成装置は、下記の効果（Ｅ01），（Ｅ02）を奏する。
（Ｅ01）定着領域の中央部と端部との温度差が大きいときには大サイズシートの印刷を停止するので、定着領域の中央部と端部との温度差が大きいときに生じる定着用のシートのホットオフセットの発生を防止することができる。
（Ｅ02）定着領域の中央部と端部との温度差が大きいときでも、小サイズシートの印刷を実行するので、印刷効率の低下を防止することができる。
【発明を実施するための最良の形態】
【００２３】
次に図面を参照しながら、本発明の実施の形態の画像形成装置を説明するが、本発明は以下の実施の形態に限定されるものではない。
（実施例１）
図１は本発明の画像形成装置の実施例１の説明図である。
図１において、実施例１の画像形成装置（デジタル複写機、トナー画像形成装置）Ｕは、プリンタ（画像形成装置本体）Ｕ１、イメージスキャナＵ２、自動原稿搬送装置Ｕ３を有している。
前記自動原稿搬送装置Ｕ３は、イメージスキャナＵ２上面のプラテンガラスＰＧ上に支持されている。
【００２４】
前記自動原稿搬送装置Ｕ３は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ上の複写位置（プラテンロールＧＲ１の圧接位置）を通過して原稿排出ロールＧＲ２から原稿排紙トレイＴＧ２に排出されるように構成されている。
前記自動原稿搬送装置Ｕ３は、その後端部（図１の紙面の背面側部分）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
【００２５】
前記イメージスキャナＵ２は、ユーザがコピースタート等の作動指令信号を入力操作するＵＩ（ユーザインタフェース）（図１、図５参照）を有している。
前記透明なプラテンガラスＰＧの下方には原稿画像を読み取るための露光光学系Ａが配置されている。
前記自動原稿搬送装置Ｕ３でプラテンガラスＰＧ上面に搬送されて前記複写位置を通過する原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド、グリーン、ブルー）の電気信号をＹ，Ｍ，Ｃ，Ｋ（イエロー、マゼンタ、シアン、黒）の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳｋ〜ＲＯＳｙ（潜像形成装置）のレーザダイオード（図示せず）に出力する。なお、前記ＵＩ（ユーザインタフェース）、ＩＰＳおよびレーザ駆動回路ＤＬと、後述の現像ロールＲ０、転写ロールＴｋ〜Ｔｙ、２次転写ロール（シート転写部材）Ｔ２b等にバイアス電圧を印加する電源回路Ｅ等の動作はコントローラＣにより制御される。
【００２６】
前記ＩＰＳが出力するＹＭＣＫの４色の画像データ（レーザ駆動データ）が入力されたレーザ駆動回路ＤＬは、入力された前記各色の画像データに応じた各色のレーザ駆動信号を所定のタイミングで、各色のＲＯＳｋ〜ＲＯＳｙ（潜像形成装置）に出力する。
【００２７】
各像担持体（感光体）Ｐｙ，Ｐｍ，Ｐｃ，Ｐｋはそれぞれの帯電ロール（帯電部材）ＣＲｋ〜ＣＲｙにより一様に帯電された後、前記各色のＲＯＳｙ〜ＲＯＳｋ（潜像形成装置）の出力するレーザビームＬによりその表面に静電潜像が形成される。前記像担持体Ｐｙ，Ｐｍ，Ｐｃ，Ｐｋ表面の静電潜像はそれぞれ、各現像器Ｇｙ，Ｇｍ，Ｇｃ，Ｇｋと対向する現像領域において各色ＹＭＣＫのトナー像に現像される。なお、前記各現像器Ｇｙ，Ｇｍ，Ｇｃ，Ｇｋは、各色のトナーを収容した現像容器と、前記現像容器に回転可能に支持され且つ前記像担持体Ｐｙ，Ｐｍ，Ｐｃ，Ｐｋ表面の静電潜像にトナーを搬送してトナー像に現像する現像ロールＲ０を有している。なお、前記各色の現像器Ｇｙ，Ｇｍ，Ｇｃ，Ｇｋの現像容器にはトナーカートリッジＴＹ〜ＴＫから各色のトナーが補給されるように構成されている。
【００２８】
前記現像された各色ＹＭＣＫのトナー像は、前記各像担持体Ｐｙ，Ｐｍ，Ｐｃ，Ｐｋとエンドレスの中間転写ベルト（像担持体）Ｂとが接触する１次転写領域Ｑ３に搬送される。前記各１次転写領域Ｑ３において中間転写ベルトＢの裏面側に配置された１次転写ロールＴｋ〜Ｔｙには、コントローラＣにより制御される電源回路Ｅから所定のタイミングで現像剤の帯電極性と逆極性の１次転写電圧が印加される。前記各像担持体Ｐｙ〜Ｐｋ上のトナー像は前記各１次転写ロールＴｋ〜Ｔｙに対向する１次転写領域Ｑ３において中間転写ベルトＢに重ねて１次転写される。１次転写後の像担持体Ｐｙ，Ｐｍ，Ｐｃ，Ｐｋ表面の残留トナーは、像担持体クリーナＣＬｐで除去される。
【００２９】
前記各像担持体Ｐｙ〜Ｐｋ、各色のＲＯＳｙ〜ＲＯＳｋ（潜像形成装置）、各色の現像器Ｇｙ〜Ｇｋによって、前記各像担持体Ｐｙ〜Ｐｋ上に各色のトナー像を形成する各色のトナー像形成装置ＵＹ（Ｐｙ＋ＲＯＳｙ＋Ｇｙ），ＵＭ（Ｐｍ＋ＲＯＳｍ＋Ｇｍ），ＵＣ（Ｐｃ＋ＲＯＳｃ＋Ｇｃ），ＵＫ（Ｐｋ＋ＲＯＳｋ＋Ｇｋ）が構成される。
【００３０】
前記各色の像担持体Ｐｙ，Ｐｍ，Ｐｃ，Ｐｋの下方には左右一対のスライドレールＳＲ，ＳＲによりスライドフレームＦ１が前後方向（紙面に垂直な方向、すなわち、Ｘ軸方向）にスライド移動可能に支持されている。スライドフレームＦ１にはベルトモジュールＢＭのベルトフレームＦ２が上昇した動作位置（像担持体Ｐｙ〜Ｐｋに接触する位置）と下方に移動したメンテナンス位置（像担持体Ｐｙ〜Ｐｋから下方に離れた位置）との間で昇降可能に支持されている。前記ベルトモジュールＢＭが前記ベルトメンテナンス位置に下降した状態では、前記スライドフレームＦ１およびこれに支持されたベルトモジュールＢＭを、前記像担持体Ｐｙ〜Ｐｋと摩擦接触させることなく、画像形成装置本体Ｕ１に対して出入させることができるように構成されている。
前記スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００３１】
前記ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒt，Ｒｗ，Ｒｆ，Ｔ２ａ）と、前記４個の１次転写ロールＴｋ〜Ｔｙとを有している。そして、前記中間転写ベルトＢは前記ベルト支持ロール（Ｒｄ，Ｒt，Ｒｗ，Ｒｆ，Ｔ２ａ）により矢印Ｙａ方向に回転移動可能に支持されている。
【００３２】
前記バックアップロールＴ２aに接する中間転写ベルトＢの表面に対向して２次転写ロール（シート転写部材）Ｔ２bが配置されており、中間転写ベルトＢおよび２次転写ロールＴ２bの対向する領域には２次転写領域（シート転写領域）Ｑ４が形成される。前記２次転写ロールＴ２bにはコントローラＣにより制御される電源回路Ｅから所定のタイミングで現像剤の帯電極性と逆極性の２次転写電圧が印加される。前記２次転写ロールＴ２bに対向して配置された前記バックアップロールＴ２aはアース（接地）されており、前記２次転写ロールＴ２bに２次転写電圧が印加されたときには、前記２次転写ロールＴ２bおよびバックアップロールＴ２a間には２次転写電界が形成される。前記中間転写ベルトＢに形成されたトナー像は、前記２次転写電界によりシートＳに転写される。前記バックアップロールＴ２aおよび２次転写ロールＴ２bにより２次転写器Ｔ２が構成される。
前記４個の１次転写ロールＴｋ〜Ｔｙおよび中間転写ベルトＢを含むベルトモジュールＢＭと、２次転写器Ｔ２等により、トナー像形成装置（ＵＹ，ＵＭ，ＵＣ，ＵＫ）の像担持体Ｐｙ〜Ｐｋ表面に形成されたトナー像を記録シートＳに転写する転写装置（ＢＭ＋Ｔ２）が構成されている。
【００３３】
プリンタ（画像形成装置本体）Ｕ１の下部には、シートＳを収容したカセットトレイ（給紙トレイ）ＴＲ１〜ＴＲ３および給紙用シート搬送路ＳＨ１が設けられている。また、前記給紙用シート搬送路ＳＨ１には手差トレイ（給紙トレイ）ＴＲ４から給紙できるように構成されている。前記カセットトレイ（給紙トレイ）ＴＲ１〜ＴＲ３に収容されたシートＳは、所定のタイミングでピックアップロールＲｐにより取り出され、さばきロールＲｓで１枚づつ分離されて、複数の搬送ロールＲａによりレジロールＲｒに搬送される。また、手差トレイ（給紙トレイ）ＴＲ４から給紙されたシートは搬送ロールＲａによりレジロールＲｒに搬送される。前記レジロールＲｒに搬送された記録シートＳは、前記中間転写ベルトＢに１次転写された多重トナー像または単色トナー像が２次転写領域Ｑ４に移動するのにタイミングを合わせて、２次転写領域Ｑ４に搬送される。
前記２次転写領域Ｑ４を記録シートＳが通過する際、２次転写ロールＴ２bに前記２次転写電圧が印加されるので、前記中間転写ベルトＢに重ねて１次転写されたカラートナー像は、前記２次転写領域Ｑ４において一括して記録シートＳに２次転写される。
２次転写後の中間転写ベルトＢはベルトクリーナＣＬbにより残留トナーが除去される。
【００３４】
トナー像が２次転写された前記記録シートＳは、転写後シートガイドＳＧ、シート搬送ベルトＨＢにより定着装置Ｆに搬送される。定着装置Ｆは一対の圧接する加熱ロールＦｈおよび加圧ロールＦｐ（図２参照）を有しており、前記加熱ロールＦｈおよび加圧ロールＦｐの圧接領域により定着領域Ｑ５が形成されている。前記記録シートＳ上のトナー像は前記定着領域Ｑ５を通過する際に、加熱定着される。トナー像が定着された記録シートＳは、排出用シート搬送路ＳＨ2または両面記録用シート搬送路ＳＨ3に搬送される。排出用シート搬送路ＳＨ2に搬送されたシートは記排紙トレイＴＲｈに排出され、両面記録用シート搬送路ＳＨ3に搬送されたシートは表裏反転されてから前記レジロールＲｒに再送される。
前記符号Ｒｐ，Ｒｓ，Ｒａ，Ｒｒ，ＳＧ，ＨＢ，ＳＨ１，ＳＨ２，ＳＨ３等で示された要素によりシート搬送装置ＳＨが構成されている。
前記符号ＳＨ１，ＳＨ２，ＳＨ３で示された要素によりシート搬送路（ＳＨ１〜ＳＨ３）が構成されている。また、前記符号Ｒｐ，Ｒｓ，Ｒａ，Ｒｒ，ＨＢ等で示された要素によりシート搬送部材（Ｒｐ，Ｒｓ，Ｒａ，Ｒｒ，ＨＢ）が構成されている。
【００３５】
（定着装置）
図２は前記図１に示す定着装置の拡大断面図である。
図２において、定着装置Ｆは外側壁１および内側壁２を有しており、前記外側壁１および内側壁２の間には吸引ダクト３が形成されている。吸引ダクト３は定着装置Ｆの後側（−Ｘ側）に設けた排気口３ａから排気用ファン４（図４参照）により吸引され、定着装置周囲の高温の空気を排出するように構成されている。前記外側壁１には、複数の通気口１ａが形成されている。定着領域Ｑ５のシート搬送方向下流側周囲の空気は、前記複数の通気口１ａからダクト３内部に吸引され、ダクト３の排気口３ａから排気される。
内側壁２の内側には、前記加熱ロールＦｈ表面にシート剥離用オイルを塗布する円筒状のオイル塗布部材５が支持されており、また、加熱ロールＦｈ表面のオイルを拭き取るためにオイル拭き取り部材６が支持されている。
定着装置Ｆの加熱ロールＦｈおよび加圧ロールＦｐの圧接領域Ｑ５のシート搬送方向上流側にはシートガイド７ａ，７ｂが配置されている。前記定着領域Ｑ５の下流側には、通過するシート下面をガイドするシート下面ガイド８および９が順次配置されている。前記シート下面ガイド８および９により加熱シート搬送路（８＋９）が形成されている。
【００３６】
図３は前記図２のIII−III線要部断面図である。
図２、図３において、加熱ロールＦｈは内部に小サイズシート用ヒータｈ１および大サイズシート用ヒータｈ２を内蔵しており、そのロール軸方向両端部は軸受Ｆｈａ，Ｆｈａを介して図示しないフレームに回転可能に支持されている。また、加圧ロールＦｐのロール軸方向両端部は軸受Ｆｐａ，Ｆｐａを介して図示しないフレームに回転可能に支持されている。前記小サイズシート用ヒータｈ１と大サイズシート用ヒータｈ２とにより加熱ヒータＨが構成されている。
【００３７】
（小サイズシート用ヒータｈ１）
小サイズシート用ヒータｈ１は小サイズシート（シート搬送方向に垂直な方向のシート幅がＡ４ＳＥＦ以下のシート）の通過する領域である小サイズシート定着領域Ｒ１（図３参照）とほぼ同じ幅を加熱するように構成され、LetterＳＥ（レターサイズシートショートエッジ）の幅以下のシートを定着する際には小サイズシート用ヒータｈ１のみがオンオフ制御される。
（大サイズシート用ヒータｈ２）
ヒータｈ２は大サイズシート（シート搬送方向に垂直な方向のシート幅がＡ４ＳＥＦより長いシート）の通過する領域である大サイズシート定着領域Ｒ２（図３参照）とほぼ同一の幅を有しているが、その中央部（前記小サイズシート定着領域Ｒ１）は発熱せず、両端部のみが発熱する。そして、LetterＳＥ（レターサイズシートショートエッジ）の幅よりも大きい幅のシートを定着する際には大サイズシート用ヒータｈ２および前記小サイズシート用ヒータｈ１の両方が独立にオンオフ制御される。
【００３８】
なお、図３において例えばＡ４ＬＥＦの「ＬＥＦ」は、ロングエッジフィードの略語であり、用紙の長辺（ロング）を前端（エッジ）にして搬送する（フィードする）シートの意味であり、前記Ａ３ＳＥＦの「ＳＥＦ」は、ショートエッジフィードの略語であり、用紙の短辺（ショート）を前端（エッジ）にして搬送する（フィードする）シートの意味である。
前記加熱ロールＦｈ表面の中央部および端部の温度は、中央部温度センサＳＮ１および端部温度センサＳＮ２により検出されている。中央部温度センサＳＮ１は加熱ロールＦｈ表面の通紙領域の中央部の温度を検出し、端部温度センサＳＮ２は加熱ロールＦｈの通紙領域の外側部分の温度を検出している。
【００３９】
図２、図３において、前記定着領域Ｑ５で画像が定着されたシートＳは、図２に示す前記加熱シート搬送路（８＋９）を通って搬送ローラＲｃに搬送される。前記搬送ローラＲｃの下流側には、切り替えゲートＴＧ１が設けられている。前記搬送ローラＲｃを通過したシートＳは、切り替えゲートＴＧ１により片面ジョブ（片面画像記録動作）の場合は排出用シート搬送路ＳＨ２に搬送され、両面ジョブ（両面画像記録動作）の場合は両面記録用シート搬送路ＳＨ３に搬送される。
【００４０】
（実施例１の制御部の説明）
図４は、実施例１の画像形成装置の制御部分が備えている各機能をブロック図（機能ブロック図）で示した図である。
図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００４１】
（前記コントローラＣに接続された信号入力要素）
前記コントローラＣには、次の信号出力要素ＵＩ，ＳＮ１〜ＳＮ３の出力信号が入力されている。
ＵＩ：ユーザインタフェース
ユーザインタフェースＵＩは、表示部ＵＩ1、コピースタートキーＵＩ2、コピー枚数入力キーＵＩ3、テンキーＵＩ4等を備えている。
ＳＮ１：加熱ロール中央部温度センサ
加熱ロール中央部温度センサＳＮ１は、加熱ロールＦｈ表面の中央部の温度Ｔ１を検出する。
ＳＮ２：加熱ロール端部温度センサ
加熱ロール端部温度センサＳＮ２は、加熱ロールＦｈ表面の端部で且つ通紙領域の外側部分の温度Ｔ２を検出する。
【００４２】
ＳＮ３：シート幅センサ
シート幅センサＳＮ３は各カセットトレイＴＲ１〜ＴＲ３にそれぞれ設けられており、各カセットトレイＴＲ１〜ＴＲ３に収容されているシートの幅を検出する。そして、各カセットトレイＴＲ１〜ＴＲ３に収容されているシートの給紙開始時になると、シート幅検出信号をコントローラＣに出力する。
【００４３】
（前記コントローラＣに接続された制御要素）
（コントローラＣに接続された被制御要素）
コントローラＣは、次の被制御要素ＤＬｙ〜ＤＬｋ、Ｄｙ〜Ｄｋ、Ｄ１、Ｄ２、Ｅの制御信号を出力している。
ＤＬｙ〜ＤＬｋ：レーザ駆動回路
レーザ駆動回路ＤＬｙ〜ＤＬｋは、ＲＯＳｙ〜ＲＯＳｋ（潜像形成装置）のレーザダイオード（図示せず）を駆動して像担持体Ｐｙ〜Ｐｋ表面に静電潜像を形成する。
Ｄｙ〜Ｄｋ：メインモータ駆動回路
メインモータ駆動回路Ｄｙ〜Ｄｋは、メインモータＭｙ〜Ｍｋを駆動することにより図示しないギヤを介してＹ（イエロー）、Ｍ（マゼンタ）、Ｃ（シアン）、Ｋ（黒）各色の像担持体Ｐｙ〜Ｐｋおよび現像器Ｇｙ〜Ｇｋの現像ロールＲ０（図１参照）等を回転駆動する。
【００４４】
Ｅ：前記電源回路
電源回路Ｅは次の電源回路を有している。
Ｅ１ｙ〜Ｅ１ｋ：現像用電源回路
現像用電源回路Ｅ１ｙ〜Ｅ１ｋは、前記Ｙ，Ｍ，Ｃ，Ｋの各色の現像器Ｇｙ〜Ｇｋ（図１、図４参照）の現像ロールＲ０（図１参照）等に現像バイアスを印加する。
Ｅ２ｙ〜Ｅ２ｋ：帯電用電源回路
帯電用電源回路Ｅ２ｙ〜Ｅ２ｋは、帯電ロールＣＲｙ〜ＣＲｋに帯電バイアスを印加する。
Ｅ３ｙ〜Ｅ３ｋ：１次転写用電源回路
１次転写用電源回路Ｅ３ｙ〜Ｅ３ｋは、１次転写ロールＴｙ〜Ｔｋに１次転写バイアスを印加する。
Ｅ４：２次転写用電源回路
２次転写用電源回路Ｅ４は、２次転写ロール（シートにトナー像を転写するシート転写ロール）Ｔ２ｂに２次転写バイアスを印加する。
Ｅ５：加熱用電源回路
加熱用電源回路Ｅ５は、加熱ロールＦｈの小サイズヒータｈ１および大サイズヒータｈ２に加熱用電力を供給する。
【００４５】
Ｄ１：定着ロール駆動回路
定着ロール駆動回路Ｄ１は、定着ロール駆動モータＭ１を駆動することにより図示しないギヤを介して定着装置Ｆの加熱ロールＦｈを回転駆動する。加熱ロールＦｈが回転すると加熱ロールＦｈに圧接する加圧ロールＦｐも回転する。前記加熱ロールＦｈおよび加圧ロールＦｐにより構成される定着ロールＦｈ，Ｆｐの回転速度により、定着領域Ｑ５を通過する時および通過した後の画像記録用のシートＳの搬送速度（加熱シート搬送速度）が定まる。すなわち、加熱ロールＦｈの回転速度を制御することによりシートＳの搬送速度を制御することができる。
Ｄ２：排気用駆動回路
排気用駆動回路Ｄ２は、排気用モータＭ２を駆動して排気用ファン４（図４参照）を作動させる。
【００４６】
（前記コントローラＣの機能）
前記コントローラＣは、前記各信号出力要素ＵＩ，ＳＮ１〜ＳＮ３からの出力信号に応じた処理を実行して、前記各制御要素ＤＬｙ〜ＤＬｋ、Ｄｙ〜Ｄｋ、Ｄ１、Ｄ２、Ｅに制御信号を出力する機能を実現するプログラム（機能実現手段）を有している。前記コントローラＣの各種機能を実現するプログラム（機能実現手段）を次に説明する。
Ｃ１：ジョブ開始信号出力手段
ジョブ開始信号出力手段Ｃ１は、前記コピースタートキーＵＩ２が入力された際、ジョブ開始の信号を出力する。
Ｃ２：メインモータ回転制御手段
メインモータ回転制御手段Ｃ２は、前記メインモータ駆動回路Ｄｙ〜Ｄｋを制御して、像担持体Ｐｙ〜Ｐｋ、現像器Ｇｙ〜Ｇｋの現像ロールＲ０等の回転を制御する。
【００４７】
Ｃ３：電源回路制御手段
電源回路制御手段Ｃ３は、次の手段Ｃ３Ａ〜Ｃ３Ｅを有しており、前記電源回路Ｅを制御して、前記現像バイアス、帯電バイアス、転写バイアス、加熱ロールＦｈのヒータｈ１，ｈ２のオンオフ等を制御する。
Ｃ３Ａ：現像バイアス制御手段
現像バイアス制御手段Ｃ３Ａは、前記現像用電源回路Ｅ１ｙ〜Ｅ１ｋの動作を制御して現像器Ｇｙ〜Ｇｋの各現像ロールＲ０に印加する現像バイアスを制御する。
Ｃ３Ｂ：帯電バイアス制御手段
帯電バイアス制御手段Ｃ３Ｂは、前記帯電用電源回路Ｅ２ｙ〜Ｅ２ｋの動作を制御して各帯電ロールＣＲｙ〜ＣＲｋに印加する帯電バイアスを制御する。
【００４８】
Ｃ３Ｃ：１次転写バイアス制御手段
１次転写バイアス制御手段Ｃ３Ｃは、前記１次転写用電源回路Ｅ３ｙ〜Ｅ３ｋの動作を制御して１次転写ロールＴｙ〜Ｔｋに印加する１次転写バイアスを制御する。
Ｃ３Ｄ：２次転写バイアス制御手段
２次転写バイアス制御手段Ｃ３Ｄは、前記２次転写用電源回路Ｅ４の動作を制御して、２次転写ロールＴ２ｂに印加する２次転写バイアスを制御する。
Ｃ３Ｅ：ヒータ制御手段
ヒータ制御手段Ｃ３Ｅは、次の制御手段Ｃ３Ｅ１〜Ｃ３Ｅ５を有しており、ヒータＨのオンオフを制御する。なお、実施例１の前記ヒータ制御手段Ｃ３Ｅでは、ジョブ時には、加熱ロールＦｈの表面温度をジョブ時下限設定値Ｔｄ（１６０℃）とジョブ時上限設定値Ｔｅ（１８０℃）との間に保持する。また、待機時には、加熱ロールＦｈの表面温度を待機時下限設定値Ｔｂ（９５℃）と待機時上限設定値Ｔｃ（１０５℃）との間に保持する。
【００４９】
Ｃ３Ｅ１：ジョブモードヒータ制御手段
ジョブモードヒータ制御手段Ｃ３Ｅ１は、ジョブ時ヒータオフ制御手段Ｃ３Ｅ１ａを有しており、ジョブ中のヒータｈ１，ｈ２をオンオフ制御する。
Ｃ３Ｅ１ａ：ジョブ時ヒータオフ制御手段
ジョブ時ヒータオフ制御手段Ｃ３Ｅ１ａは、ジョブ中の加熱ロールＦｈの表面温度がジョブ時上限設定値Ｔｅ（１８０℃）より高くなった場合、前記ジョブ時上限設定値Ｔｅ（１８０℃）以下になるように加熱ヒータＨをオフ制御して、ジョブ時ヒータオフモードに移行する。
Ｃ３Ｅ２：待機モードヒータ制御手段
待機モードヒータ制御手段Ｃ３Ｅ２は、待機時ヒータオフ制御手段Ｃ３Ｅ２ａを有しており、ジョブ終了後のヒータｈ１，ｈ２をオンオフ制御する。
Ｃ３Ｅ２ａ：待機時ヒータオフ制御手段
待機時ヒータオフ制御手段Ｃ３Ｅ２ａは、ジョブ終了後の加熱ロールＦｈの表面温度が待機時上限設定値Ｔｃ（１０５℃）より高くなった場合、前記加熱ロールＦｈの表面温度が前記待機時上限設定値Ｔｃ（１０５℃）以下になるように加熱ヒータＨをオフ制御して、ジョブ時ヒータオフモードに移行する。
【００５０】
Ｃ３Ｅ３：温度差検出手段
温度差検出手段Ｃ３Ｅ３は、前記中央部温度センサＳＮ１の検出温度Ｔ１と、前記端部温度センサＳＮ２の検出温度Ｔ２とに応じて、前記検出温度Ｔ１とＴ２との差の絶対値｜Ｔ１−Ｔ２｜＝ΔＴを検出する。
Ｃ３Ｅ４：温度差許容設定値記憶手段
温度差許容設定値記憶手段Ｃ３Ｅ４は、温度差許容設定値ΔＴｍを記憶する。
Ｃ３Ｅ５：温度差判別手段
温度差判別手段Ｃ３Ｅ５は、前記温度差検出手段Ｃ３Ｅ３で検出した温度差ΔＴが前記温度差許容設定値記憶手段Ｃ３Ｅ４に記憶された温度差許容設定値ΔＴｍ以下であるか判別する。
【００５１】
Ｃ４：シート幅別手段
シートは  判別手段Ｃ４は、シート幅検出手段Ｃ４Ａとシート幅閾値記憶手段Ｃ４Ｂとを有しており、シート幅センサＳＮ３の検出信号に応じて、カセットトレイＴＲ１〜ＴＲ３から給紙されるシートのサイズ（幅）がＡ４ＳＥＦのシートの幅以下であるか否を判別する。
Ｃ４Ａ：シート幅検出手段
シート幅検出手段Ｃ４Ａは、前記シート幅センサＳＮ３により各カセットトレイＴＲ１〜ＴＲ３に収容されているシートの幅を検出する。
Ｃ４Ｂ：シート幅閾値記憶手段
シート幅閾値記憶手段Ｃ４Ｂはシート幅閾値、すなわち前記Ａ４ＳＥＦのシート幅を記憶している。
【００５２】
Ｃ５：温度差異常告知手段
温度差異常告知手段Ｃ５は、異常温度設定値記憶手段Ｃ５Ａとエラー発生告知フラグＦＬとを有しており、前記ヒータｈ１，ｈ２の検出温度が温度異常判別用下限設定値Ｔａ（６５℃）以下の場合、前記表示部ＵＩ１に温度異常を告知する。また、前記加熱ロールＦｈの表面温度の検出温度が温度異常判別用上限設定値Ｔｆ（２３５℃）以上の場合、前記表示部ＵＩ１に温度異常を告知する。
Ｃ５Ａ：異常温度設定値記憶手段
異常温度設定値記憶手段Ｃ５Ａは、前記温度異常判別用下限設定値Ｔａ（６５℃）と前記温度異常判別用上限設定値Ｔｆ（２３５℃）とを記憶する。
ＦＬ：エラー発生告知フラグ
エラー発生告知フラグＦＬは、初期値は「０」であり、前記加熱ロールＦｈの表面温度が温度異常判別用下限設定値Ｔａ（６５℃）以下かもしくは温度異常判別用上限設定値Ｔｆ（２３５℃）以上の場合に「１」となり、前記加熱ロールＦｈの表面温度が温度異常判別用下限設定値Ｔａ（６５℃）より大きく温度異常判別用上限設定値Ｔｆ（２３５℃）よりも小さい場合には「０」になる。
【００５３】
（フローチャートの説明）
図５は本発明の実施例１の画像形成装置が電源オンの時にスタートするヒータオンオフ制御のメインルーチンである。
図５のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。なお、図５の電源オンの時にスタートするヒータオンオフ制御のメインルーチンは実施例１と後述する実施例２〜６とで共通である。
図５に示す電源オンの時にスタートするヒータオンオフ制御のメインルーチンは画像形成装置Ｕの電源オンにより開始される。
図５のＳＴ１（ステップ１）において、ジョブが開始されたか否かを判断する。ノー（Ｎ）の場合はＳＴ３に移り、イエス（Ｙ）の場合はＳＴ２に移る。
ＳＴ２において、ジョブ時ヒータ制御（後述する図８参照）を行い、次に前記ＳＴ１に戻る。
ＳＴ３において、待機時ヒータ制御（後述する図６参照）を行い、次に前記ＳＴ１に戻る。
【００５４】
図６は、待機時ヒータ制御のフローチャートであり、前記図５のＳＴ３のサブルーチンである。
図６に示す待機時ヒータ制御のフローチャートは画像形成装置Ｕの電源オンにより開始される。また、前記待機時ヒータ制御のフローチャートは、実施例１と後述する実施例２〜５とで共通である。
ＳＴ１１において、|Ｔ１−Ｔ２|＝ΔＴ≦ΔＴｍであるか否かを判断する。すなわち、加熱ロール中央部温度センサＳＮ１の中央部検出温度Ｔ１と加熱ロール端部温度センサＳＮ２の端部検出温度Ｔ２との温度差が温度差許容設定値Ｔｍ（３０℃）以下であるか否かを判断する。ノー（Ｎ）の場合はＳＴ１２に移り、イエス（Ｙ）の場合はＳＴ１３に移る。
ＳＴ１２において、ヒータｈ１，ｈ２をオフにし、前記図５のＳＴ１に戻る。
前記ＳＴ１１でイエス（Ｙ）の場合に移るＳＴ１３において、温度異常監視処理（後述する図７参照）を行う。
ＳＴ１４において、Ｔ１≧Ｔｂであるか否かを判断する。すなわち、加熱ロール中央部温度センサＳＮ１の中央部検出温度Ｔ１が待機時下限設定値Ｔｂ（９５℃）以上であるか否かを判断する。ノー（Ｎ）の場合はＳＴ１６に移り、イエス（Ｙ）の場合はＳＴ１５に移る。
ＳＴ１５において、Ｔ１≦Ｔｃであるか否かを判断する。すなわち、前記中央部検出温度Ｔ１が待機時上限設定値Ｔｃ（１０５℃）以下であるか否かを判断する。ノー（Ｎ）の場合はＳＴ１７に移り、イエス（Ｙ）の場合はＳＴ１８に移る。
【００５５】
前記ＳＴ１４でノー（Ｎ）の場合に移るＳＴ１６において、小サイズシート用ヒータｈ１をオンにし、次にＳＴ１８に移る。
前記ＳＴ１５でノー（Ｎ）の場合に移るＳＴ１７において、小サイズシート用ヒータｈ１をオフにする。
ＳＴ１８において、Ｔ２≧Ｔｂであるか否かを判断する。すなわち、加熱ロール端部温度センサＳＮ２の端部検出温度Ｔ２が待機時下限設定値Ｔｂ（９５℃）以上であるか否かを判断する。ノー（Ｎ）の場合はＳＴ２０に移り、イエス（Ｙ）の場合はＳＴ１９に移る。
ＳＴ１９において、Ｔ２≦Ｔｃであるか否かを判断する。すなわち、前記端部検出温度Ｔ２が待機時上限設定値Ｔｃ（１０５℃）以下であるか否かを判断する。ノー（Ｎ）の場合はＳＴ２１に移り、イエス（Ｙ）の場合は前記図５のＳＴ１に戻る。
前記ＳＴ１８においてノー（Ｎ）の場合に移るＳＴ２０において、大サイズシート用ヒータｈ２をオンにし、次に前記図５のＳＴ１に戻る。
前記ＳＴ１９においてノー（Ｎ）の場合に移るＳＴ２１において、大サイズシート用ヒータｈ２をオフにし、次に前記図５のＳＴ１に戻る。
【００５６】
図７は、温度異常監視処理のフローチャートであり、前記図６のＳＴ１３のサブルーチンである。
図７に示す温度差異常監視処理のフローチャートは画像形成装置Ｕの電源オンにより開始される。また、前記温度差異常監視処理のフローチャートは、実施例１と後述する実施例２〜５とで共通であり、前記ＳＴ１３および後述するＳＴ４４、ＳＴ６２のサブルーチンである。
ＳＴ３１において、Ｔ１≧Ｔｆであるか否かを判断する。すなわち、前記中央部検出温度Ｔ１が温度異常判別用上限値Ｔｆ（２３５℃）以上であるか否かを判断する。ノー（Ｎ）の場合はＳＴ３２に移り、イエス（Ｙ）の場合はＳＴ３５に移る。
ＳＴ３２において、Ｔ２≧Ｔｆであるか否かを判断する。すなわち、前記端部検出温度Ｔ２が温度異常判別用上限値Ｔｆ（２３５℃）以上であるか否かを判断する。ノー（Ｎ）の場合はＳＴ３３に移り、イエス（Ｙ）の場合はＳＴ３５に移る。
【００５７】
ＳＴ３３において、Ｔ１≧Ｔａであるか否かを判断する。すなわち、前記中央部検出温度Ｔ１が温度異常判別用下限値Ｔａ（６５℃）以下であるか否かを判断する。ノー（Ｎ）の場合はＳＴ３４に移り、イエス（Ｙ）の場合はＳＴ３５に移る。
ＳＴ３４において、Ｔ２≧Ｔａであるか否かを判断する。すなわち、前記端部検出温度Ｔ２が温度異常判別用下限値Ｔａ（６５℃）以下であるか否かを判断する。ノー（Ｎ）の場合は各ヒータ制御のＳＴに移り、イエス（Ｙ）の場合はＳＴ３５に移る。
前記ＳＴ３１、ＳＴ３２、ＳＴ３３、ＳＴ３４でイエス（Ｙ）の場合に移るＳＴ３５において、エラー発生告知フラグＦＬ＝「１」とする。なお、前記エラー発生告知フラグＦＬの初期値は「０」であり、「１」の場合は温度異常が発生したことを示す。
ＳＴ３６において、画像形成装置Ｕを停止し、前記図６のＳＴ１に戻る。その際、前記温度異常が解消された場合、前記エラー発生告知フラグＦＬを初期値「０」にする。
【００５８】
図８は、ジョブ時ヒータ制御のフローチャートであり、前記ＳＴ２のサブルーチンである。
ＳＴ４１において、用紙幅Ｗ≦Ｗ０であるか否かを判断する。前記Ｗ０は、用紙幅閾値であり、Ａ４ＳＥＦのシート幅を示す。ノー（Ｎ）の場合はＳＴ４２に移り、イエス（Ｙ）の場合は後述する図９のＳＴ６１に移る。
ＳＴ４２において、|Ｔ１−Ｔ２|＝ΔＴ≦ΔＴｍであるか否かを判断する。すなわち、加熱ロール中央部温度センサＳＮ１の中央部検出温度Ｔ１と加熱ロール端部温度センサＳＮ２の端部検出温度Ｔ２との温度差が温度差許容設定値Ｔｍ（３０℃）以下であるか否かを判断する。ノー（Ｎ）の場合はＳＴ４３に移り、イエス（Ｙ）の場合はＳＴ４４に移る。
ＳＴ４３において、ヒータｈ１，ｈ２をオフにし、ＳＴ５３に移る。
前記ＳＴ４２でイエス（Ｙ）の場合に移るＳＴ４４において、温度異常監視処理（前記図７参照）を行う。
ＳＴ４５において、Ｔ１≧Ｔｄであるか否かを判断する。すなわち、前記中央部検出温度Ｔ１がジョブ時下限設定値Ｔｄ（１６０℃）以上であるか否かを判断する。ノー（Ｎ）の場合はＳＴ４７に移り、イエス（Ｙ）の場合はＳＴ４６に移る。
ＳＴ４６において、Ｔ１≦Ｔｅであるか否かを判断する。すなわち、前記中央部検出温度Ｔ１がジョブ時上限設定値Ｔｅ（１８０℃）以下であるか否かを判断する。ノー（Ｎ）の場合はＳＴ４８に移り、イエス（Ｙ）の場合はＳＴ４９に移る。
【００５９】
前記ＳＴ４５でノー（Ｎ）の場合に移るＳＴ４７において、小サイズシート用ヒータｈ１をオンにし、次にＳＴ４９に移る。
前記ＳＴ４６でノー（Ｎ）の場合に移るＳＴ４８において、小サイズシート用ヒータｈ１をオフにする。
ＳＴ４９において、Ｔ２≧Ｔｄであるか否かを判断する。すなわち、前記端部検出温度Ｔ２がジョブ時下限設定値Ｔｄ（１６０℃）以上であるか否かを判断する。ノー（Ｎ）の場合はＳＴ５１に移り、イエス（Ｙ）の場合はＳＴ５０に移る。
ＳＴ５０において、Ｔ２≦Ｔｅであるか否かを判断する。すなわち、前記端部検出温度Ｔ２がジョブ時上限設定値Ｔｅ（１８０℃）以下であるか否かを判断する。ノー（Ｎ）の場合はＳＴ５２に移り、イエス（Ｙ）の場合はＳＴ５３に移る。
前記ＳＴ４９でノー（Ｎ）の場合に移るＳＴ５１において、大サイズシート用ヒータｈ２をオンにし、次にＳＴ５３に移る。
前記ＳＴ５０でノー（Ｎ）の場合に移るＳＴ５２において、大サイズシート用ヒータｈ２をオフにする。
ＳＴ５３において、ジョブ終了か否かを判断する。ノー（Ｎ）の場合は前記ＳＴ４２に戻り、イエス（Ｙ）の場合は前記図５のＳＴ１に移る。
【００６０】
図９は、前記図８に示すジョブ時ヒータ制御のフローチャートの続きのフローチャートである。
前記図８のＳＴ４１でイエス（Ｙ）の場合に移るＳＴ６１において、大サイズシート用ヒータｈ２をオフにする。
ＳＴ６２において、温度異常監視処理（図７参照）を行う。
ＳＴ６３において、Ｔ１≧Ｔｄであるか否かを判断する。すなわち、前記中央部検出温度Ｔ１がジョブ時下限設定値Ｔｄ（１６０℃）以上であるか否かを判断する。ノー（Ｎ）の場合はＳＴ６５に移り、イエス（Ｙ）の場合はＳＴ６４に移る。
ＳＴ６４において、Ｔ１≦Ｔｅであるか否かを判断する。すなわち、前記中央部検出温度Ｔ１がジョブ時上限設定値Ｔｅ（１８０℃）以下であるか否かを判断する。ノー（Ｎ）の場合はＳＴ６６に移り、イエス（Ｙ）の場合はＳＴ６７に移る。
前記ＳＴ６３でノー（Ｎ）の場合に移るＳＴ６５において、小サイズシート用ヒータｈ１をオンにし、次にＳＴ６７に移る。
前記ＳＴ６４でノー（Ｎ）の場合に移るＳＴ６６において、小サイズシート用ヒータｈ１をオフにする。
ＳＴ６７において、ジョブ終了か否かを判断する。ノー（Ｎ）の場合は前記ＳＴ６２に戻り、イエス（Ｙ）の場合は前記図５のＳＴ１に戻る。
【００６１】
（実施例１の作用）
前記構成を備えた実施例１の画像形成装置Ｕでは、感光体ＰＲ表面に静電潜像を形成し、前記感光体ＰＲ表面の静電潜像をトナー画像に現像する。シート搬送装置ＳＨは、画像形成用のシートＳを搬送する。転写装置ＢＭ＋Ｔ２は、前記トナー画像形成装置により形成されたトナー画像を前記シートＳに転写する。
前記シート搬送装置ＳＨにより搬送されるシート搬送路ＳＨ１〜ＳＨ３の途中に配置された互いに圧接する加熱回転部材Ｆｈおよび加圧回転部材Ｆｐを有する一対の定着用回転部材Ｆｈ，Ｆｐと、前記加熱回転部材Ｆｈを加熱する加熱ヒータＨとを備えた定着装置Ｆは、前記一対の定着用回転部材Ｆｈ，Ｆｐの圧接領域である定着領域Ｑ５を通過する前記シートＳ上のトナー画像を加熱定着する。
【００６２】
シート幅検出手段Ｃ４Ａは、前記定着領域Ｑ５を通過するシートＳのシート幅Ｂを検出する。シートサイズ判別手段Ｃ４は、前記定着領域Ｑ５を通過するシートＳの前記シート幅Ｂが設定された閾値Ｂａより小さいシート幅Ｂ１の小サイズシートＳ１であるか、前記閾値Ｂａより大きいシート幅Ｂ２の大サイズシートＳ２であるかを判別する。
前記加熱ヒータＨは、小サイズシート用ヒータｈ１および大サイズシート用ヒータｈ２を有している。前記小サイズシート用ヒータｈ１は前記小サイズシートＳ１が通過する定着領域である小サイズシート通過域を加熱する。前記大サイズシート用ヒータｈ２は前記大サイズシートＳ２が通過する定着領域である大サイズシート通過域を加熱する。
定着領域温度センサＳＮ１，ＳＮ２は、中央部温度センサＳＮ１および端部温度センサＳＮ２を有する。前記中央部温度センサＳＮ１は前記定着領域Ｑ５の中央部温度に対応する温度を検出する。前記端部温度センサＳＮ２は前記定着領域Ｑ５の端部温度に対応する温度を検出する。
【００６３】
ジョブ開始信号出力手段Ｃ１は、画像記録動作であるジョブの開始を指示するジョブ開始信号を出力する。ヒータ制御手段Ｃ３Ｅは、ジョブモードヒータ制御手段Ｃ３Ｅ１と待機モードヒータ制御手段Ｃ３Ｅ２とを有する。
前記ジョブモードヒータ制御手段Ｃ３Ｅ１は前記ジョブ開始信号が出力されてからジョブが終了するまでの間の前記加熱ヒータＨのオンオフ制御を行う。前記ジョブモードヒータ制御手段Ｃ３Ｅ１は、ジョブ時ヒータオフ制御手段Ｃ３Ｅ１ａにおいて、前記待機期間の開始時にΔＴ＞ΔＴｍの場合に、所定のジョブ時ヒータオフモード解除条件が成立するまで前記加熱ヒータＨオフ状態に保持する。
待機モードヒータ制御手段Ｃ３Ｅ２は、前記ジョブの終了後の所定期間は前記加熱ヒータＨのオンオフ制御を待機モードで制御する。前記ヒータ制御手段Ｃ３Ｅは、前記待機時ヒータオフ制御手段Ｃ３Ｅ２ａで動作中にΔＴ≦ΔＴｍになった場合に前記待機時ヒータオフモード解除条件が成立したものとして前記待機時ヒータオフ制御手段Ｃ３Ｅ２ａを解除する。
温度差検出手段Ｃ３Ｅ３は、前記中央部温度センサＳＮ１の検出温度Ｔ１と、前記端部温度センサＳＮ２の検出温度Ｔ２とに応じて、前記検出温度Ｔ１とＴ２との差の絶対値｜Ｔ１−Ｔ２｜＝ΔＴを検出する。温度差許容設定値記憶手段Ｃ３Ｅ４は、前記温度差ΔＴの温度差許容設定値ΔＴｍを記憶する。
【００６４】
待機時ヒータオフ制御手段Ｃ３Ｅ２ａを有する前記待機モードヒータ制御手段Ｃ３Ｅ２は、前記待機モードの開始時にΔＴ＞ΔＴｍの場合には、所定の待機時ヒータオフモード解除条件が成立するまで前記加熱ヒータＨをオフ状態に保持する。
異常温度設定値記憶手段Ｃ５Ａは、異常温度上限設定値Ｔｆを記憶する。
温度異常告知手段Ｃ５は、前記待機モード時において、前記中央部温度センサＳＮ１の検出温度Ｔ１がＴ１＞Ｔｆになったとき、または端部温度センサＳＮ２の検出温度Ｔ２がＴ２＞Ｔｆになったときに温度異常を告知する。このため、加熱ロールＦｈの表面温度の中央部と端部との温度差が大きいときに生じる定着用のシートのホットオフセットの発生を防止することができ、印刷効率の低下を防止することができる。
【００６５】
（実施例２）
この実施例２の説明において、前記実施例１の構成要素に対応する構成要素には同一の符号を付してその詳細な説明を省略する。
この実施例２は、下記の点で前記実施例１と相違しているが、他の点では前記実施例１と同様に構成されている。
図１０は、実施例２の画像形成装置のジョブ時ヒータ制御のフローチャートで、前記実施例１の図８に対応するフローチャートである。
図１０において、前記実施例１の図８と同様にＳＴ４１、ＳＴ４２を実行して移るＳＴ４３では、ヒータｈ１，ｈ２をオフにし、前記ＳＴ４２に戻る。
この実施例２の作用は、前記実施例１と同様に、定着ロールＦｈの表面温度の中央部と端部との温度差が大きいときに生じる定着用のシートのホットオフセットの発生を防止することができ、印刷効率の低下を防止することができる。
【００６６】
（実施例３）
この実施例３の説明において、前記実施例１の構成要素に対応する構成要素には同一の符号を付してその詳細な説明を省略する。
この実施例３は、下記の点で前記実施例１と相違しているが、他の点では前記実施例１と同様に構成されている。
【００６７】
（実施例３の制御部の説明）
図１１は、実施例３の画像形成装置の制御部分が備えている各機能をブロック図（機能ブロック図）で示した図であり、前記実施例１の図４に対応するブロック図である。
Ｃ３Ｅ１：ジョブモードヒータ制御手段
ジョブモードヒータ制御手段Ｃ３Ｅ１は、ジョブ時ヒータオフ制御手段Ｃ３Ｅ１ａとジョブ時ヒータオフモード解除用タイマＴＭとを有している。
ＴＭ：ジョブ時ヒータオフモード解除用タイマ
ジョブ時ヒータオフモード解除用タイマＴＭは、前記ジョブモードの開始時にΔＴ＞ΔＴｍの場合には、所定のジョブ時ヒータオフモード解除用時間がセットされる。
【００６８】
（実施例３のフローチャートの説明）
図１２は、実施例３の画像形成装置のジョブ時ヒータ制御のフローチャートで、前記実施例１の図８に対応するフローチャートである。
図１２において、前記実施例１の図８と同様にＳＴ４１〜ＳＴ４３を実行して移るＳＴ４３では、ヒータｈ１，ｈ２をオフにし、次にＳＴ５４に移る。
ＳＴ５４において、ジョブ時ヒータオフモード解除用タイマＴＭが作動中か否かを判断する。ノー（Ｎ）の場合はＳＴ５５に移り、イエス（Ｙ）の場合はＳＴ５６に移る。
ＳＴ５５において、前記温度差検出手段Ｃ３Ｅ３で検出した温度差ΔＴに応じた時間ＴＭａをジョブ時ヒータオフモード解除用タイマＴＭにセットする。次に、前記ＳＴ４２に戻る。
ＳＴ５６において、ジョブ時ヒータオフモード解除用タイマＴＭはタイムアップか否かを判断する。ノー（Ｎ）の場合は前記ＳＴ４２に戻り、イエス（Ｙ）の場合はＳＴ４４に移る。
【００６９】
（実施例３の作用）
前記構成を備えた実施例３の画像形成装置Ｕでは、ヒータ制御手段Ｃ３Ｅは、前記ジョブ時ヒータオフ制御手段Ｃ３Ｅ１ａで動作中にジョブ時ヒータオフモード解除用タイマＴＭがタイムアップした場合に、前記ジョブ時ヒータオフモード解除条件が成立したものとして前記ジョブ時ヒータオフ制御手段Ｃ３Ｅ１ａを解除する。
実施例３のその他の作用は、前記実施例１と同様に、加熱ロールＦｈの表面温度の中央部と端部との温度差が大きいときに生じる定着用のシートのホットオフセットの発生を防止することができ、印刷効率の低下を防止することができる。
【００７０】
（実施例４）
この実施例４の説明において、前記実施例１の構成要素に対応する構成要素には同一の符号を付してその詳細な説明を省略する。
この実施例４は、下記の点で前記実施例１と相違しているが、他の点では前記実施例１と同様に構成されている。
【００７１】
（実施例４の制御部の説明）
図１３は、実施例４の画像形成装置の制御部分が備えている各機能をブロック図（機能ブロック図）で示した図であり、前記実施例１の図４に対応するブロック図である。
Ｃ３Ｅ１：ジョブモードヒータ制御手段
ジョブモードヒータ制御手段Ｃ３Ｅ１は、ジョブ時ヒータオフ制御手段Ｃ３Ｅ１ａと端部温度監視手段Ｃ３Ｅ１ｂとを有している。
Ｃ３Ｅ１ｂ：端部温度監視手段
端部温度監視手段Ｃ３Ｅ１ｂは、前記ジョブモードの開始時にΔＴ＞ΔＴｍの場合には、前記端部温度センサＳＮ２の検出温度Ｔ２が所定のジョブ時上限設定値（ジョブ時ヒータオフモード解除用設定温度）Ｔｅ以下になったか否かを常時監視する。
【００７２】
（実施例４のフローチャートの説明）
図１４は、実施例４の画像形成装置のジョブ時ヒータ制御のフローチャートで、前記実施例１の図８に対応するフローチャートである。
図１４において、前記実施例１の図８と同様にＳＴ４１〜ＳＴ４３を実行して移るＳＴ４３では、ヒータｈ１，ｈ２をオフにし、次にＳＴ４３´に移る。
ＳＴ４３´において、Ｔ２≦Ｔｅか否かを判断する。ノー（Ｎ）の場合は前記ＳＴ４２に戻り、イエス（Ｙ）の場合はＳＴ４４に移る。
【００７３】
（実施例４の作用）
前記構成を備えた実施例４の画像形成装置Ｕでは、 前記ヒータ制御手段Ｃ３Ｅは、前記ジョブ時ヒータオフ制御手段モードＣ３Ｅ１ａで動作中に前記端部温度センサＳＮ２の検出温度Ｔ２が前記ジョブ時上限設定値Ｔｅ以下になった場合に、前記ジョブ時ヒータオフモード解除条件が成立したものとして前記ジョブ時ヒータオフ制御手段Ｃ３Ｅ１ａを解除する。
実施例４のその他の作用は、前記実施例１と同様に、加熱ロールＦｈの表面温度の中央部と端部との温度差が大きいときに生じる定着用のシートのホットオフセットの発生を防止することができ、印刷効率の低下を防止することができる。
【００７４】
（実施例５）
この実施例５の説明において、前記実施例４の構成要素に対応する構成要素には同一の符号を付してその詳細な説明を省略する。
この実施例５は、下記の点で前記実施例４と相違しているが、他の点では前記実施例４と同様に構成されている。
【００７５】
図１５は、実施例５の画像形成装置のジョブ時ヒータ制御のフローチャートで、前記実施例４の図１４に対応するフローチャートである。
図１５において、前記実施例４の図１４と同様にＳＴ４１、ＳＴ４２を実行して移るＳＴ４２´では、Ｔ２≦Ｔｅか否かを判断する。ノー（Ｎ）の場合はＳＴ４３に移り、イエス（Ｙ）の場合はＳＴ４４に移る。
ＳＴ４３において、ヒータｈ１，ｈ２をオフにし、次にＳＴ４２に移る。
この実施例５の作用は、前記実施例４と同様に、加熱ロールＦｈの表面温度の中央部と端部との温度差が大きいときに生じる定着用のシートのホットオフセットの発生を防止することができ、印刷効率の低下を防止することができる。
【００７６】
（実施例６）
この実施例６の説明において、前記実施例１の構成要素に対応する構成要素には同一の符号を付してその詳細な説明を省略する。
この実施例６は、下記の点で前記実施例１と相違しているが、他の点では前記実施例１と同様に構成されている。
【００７７】
（実施例６の制御部の説明）
図１６は、実施例６の画像形成装置の制御部分が備えている各機能をブロック図（機能ブロック図）で示した図であり、前記実施例１の図４に対応するブロック図である。
Ｃ６：ヒータオフモード時温度異常告知禁止手段
ヒータオフモード時温度異常告知禁止手段Ｃ６は、前記中央部温度センサの中央部検出温度Ｔ１がＴ１≦Ｔａになったとき、または端部温度センサの端部検出温度Ｔ２がＴ２≦Ｔａになったときに、前記ジョブモードヒータ制御手段Ｃ３Ｅ１が前記加熱ヒータＨをオフ状態に保持するジョブ時ヒータオフ制御手段Ｃ３Ｅ１ａで動作中のときには、前記温度異常告知手段Ｃ５の温度異常を告知する動作を禁止する。
前記中央部温度センサの中央部検出温度Ｔ１がＴ１≦Ｔａになったとき、または端部温度センサの端部検出温度Ｔ２がＴ２≦Ｔａになったときに、前記待機モードヒータ制御手段Ｃ３Ｅ２が前記加熱ヒータＨをオフ状態に保持する待機時ヒータオフ制御手段Ｃ３Ｅ２ａで動作中のときには、前記温度異常告知手段Ｃ５の温度異常を告知する動作を禁止する。
【００７８】
（実施例６のフローチャートの説明）
図１７は、実施例６の待機時ヒータ制御のフローチャートで、前記実施例１の図６に対応するフローチャートである。
図１８は、実施例６の異常温度監視処理のフローチャートで、前記実施例１の図７に対応するフローチャートである。
図１９は、実施例６のジョブ時ヒータ制御のフローチャートで、前記実施例１の図８に対応するフローチャートである。
【００７９】
図１７において、前記実施例１の図６のＳＴ１３が省略されている。また、前記実施例１の図６と同様にＳＴ１１、ＳＴ１２、ＳＴ１４〜ＳＴ２１を実行して移るＳＴ２２において、温度異常監視処理（後述する図１８参照）を実行する。
図１８において、前記実施例１の図７のＳＴ３３、ＳＴ３４でイエス（Ｙ）の場合に移るＳＴ３４´では、|Ｔ１−Ｔ２|＝ΔＴ≦ΔＴｍであるか否かを判断する。ノー（Ｎ）の場合は各ヒータ制御のＳＴに移り、イエス（Ｙ）の場合はＳＴ３５に移る。
図１９において、前記実施例１の図８のＳＴ４４が省略されている。また、前記実施例１の図８と同様にＳＴ４１〜ＳＴ４３、ＳＴ４５〜ＳＴ５２を実行して移るＳＴ５２´では、温度異常監視処理を実行する。
この実施例６の作用は、前記実施例１と同様に、加熱ロールＦｈの表面温度の中央部と端部との温度差が大きいときに生じる定着用のシートのホットオフセットの発生を防止することができ、印刷効率の低下を防止することができる。
【産業上の利用可能性】
【００８０】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）前記実施例１〜６において、次の構成要件（Ｂ017），（Ｂ018）を備えることが可能である。
（Ｂ017）前記待機モードの開始時にΔＴ＞ΔＴｍの場合には、所定の待機時ヒータオフモード解除用時間がセットされる待機時ヒータオフモード解除用タイマ、
（Ｂ018）前記待機時ヒータオフ制御手段動作中に待機時ヒータオフモード解除用タイマがタイムアップした場合に前記待機時ヒータオフモード解除条件が成立したものとして前記待機時ヒータオフモードを解除する前記待機モードヒータ制御手段。
前記構成要件（Ｂ017），（Ｂ018）を備えた画像形成装置では、待機時ヒータオフモード解除用タイマは、前記待機モードの開始時にΔＴ＞ΔＴｍの場合には、所定の待機時ヒータオフモード解除用時間がセットされる。前記ヒータ制御手段は、前記待機時ヒータオフ制御手段で動作中に待機時ヒータオフモード解除用タイマがタイムアップした場合に前記待機時ヒータオフモード解除条件が成立したものとして前記待機時ヒータオフ制御手段を解除する。
【００８１】
（Ｈ02）前記実施例１〜６において、次の構成要件（Ｂ019），（Ｂ020）を備えることが可能である。
（Ｂ019）前記待機モードの開始時にΔＴ＞ΔＴｍの場合には、前記端部温度センサの検出温度Ｔ２が所定の待機時ヒータオフモード解除用設定温度Ｔｅ以下になったか否かを常時監視する端部温度監視手段、
（Ｂ020）前記待機時ヒータオフモードで動作中に前記端部温度センサの検出温度Ｔ２が前記待機時ヒータオフモード解除用設定温度Ｔｅ以下になった場合に前記待機時ヒータオフモード解除条件が成立したものとして前記待機時ヒータオフ制御手段を解除する前記待機モードヒータ制御手段。
前記構成要件（Ｂ019），（Ｂ020）を備えた画像形成装置では、端部温度監視手段は、前記待機モードの開始時にΔＴ＞ΔＴｍの場合には、前記端部温度センサの検出温度Ｔ２が所定の待機時ヒータオフモード解除用設定温度Ｔｅ以下になったか否かを常時監視する。
前記ヒータ制御手段は、前記待機時ヒータオフ制御手段で動作中に前記端部温度センサの検出温度Ｔ２が前記待機時ヒータオフモード解除用設定温度Ｔｅ以下になった場合に前記待機時ヒータオフモード解除条件が成立したものとして前記待機時ヒータオフ制御手段を解除する。
【図面の簡単な説明】
【００８２】
【図１】図１は本発明の画像形成装置の実施例１の説明図である。
【図２】図２は前記図１に示す定着装置の拡大断面図である。
【図３】図３は前記図２のIII−III線要部断面図である。
【図４】図４は、実施例１の画像形成装置の制御部分が備えている各機能をブロック図（機能ブロック図）で示した図である。
【図５】図５は本発明の実施例１の画像形成装置が電源オンの時にスタートするヒータオンオフ制御のメインルーチンである。
【図６】図６は、待機時ヒータ制御のフローチャートであり、前記図５のＳＴ３のサブルーチンである。
【図７】図７は、温度異常監視処理のフローチャートであり、前記図６のＳＴ１３のサブルーチンである。
【図８】図８は、ジョブ時ヒータ制御のフローチャートであり、前記ＳＴ２のサブルーチンである。
【図９】図９は、前記図８に示すジョブ時ヒータ制御のフローチャートの続きのフローチャートである。
【図１０】図１０は、実施例２の画像形成装置のジョブ時ヒータ制御のフローチャートで、前記実施例１の図８に対応するフローチャートである。
【図１１】図１１は、実施例３の画像形成装置の制御部分が備えている各機能をブロック図（機能ブロック図）で示した図であり、前記実施例１の図４に対応するブロック図である。
【図１２】図１２は、実施例３の画像形成装置のジョブ時ヒータ制御のフローチャートで、前記実施例１の図８に対応するフローチャートである。
【図１３】図１３は、実施例４の画像形成装置の制御部分が備えている各機能をブロック図（機能ブロック図）で示した図であり、前記実施例１の図４に対応するブロック図である。
【図１４】図１４は、実施例４の画像形成装置のジョブ時ヒータ制御のフローチャートで、前記実施例１の図８に対応するフローチャートである。
【図１５】図１５は、実施例５の画像形成装置のジョブ時ヒータ制御のフローチャートで、前記実施例４の図１４に対応するフローチャートである。
【図１６】図１６は、実施例６の画像形成装置の制御部分が備えている各機能をブロック図（機能ブロック図）で示した図であり、前記実施例１の図４に対応するブロック図である。
【図１７】図１７は、実施例６の待機時ヒータ制御のフローチャートで、前記実施例１の図６に対応するフローチャートである。
【図１８】図１８は、実施例６の異常温度監視処理のフローチャートで、前記実施例１の図７に対応するフローチャートである。
【図１９】図１９は、実施例６のジョブ時ヒータ制御のフローチャートで、前記実施例１の図８に対応するフローチャートである。
【符号の説明】
【００８３】
８＋９…加熱シート搬送路、ＢＭ＋Ｔ２…転写装置、Ｃ１…シート種類判別手段、Ｃ３Ｅ…ヒータ制御手段、Ｃ３Ｅ１ｂ…端部温度監視手段、Ｃ３Ｅ２…待機モードヒータ制御手段、Ｃ３Ｅ２ａ…待機時ヒータオフモード、Ｃ３Ｅ３…温度差検出手段、Ｃ３Ｅ４…温度差許容設定値記憶手段、Ｃ４ａ…シート幅検出手段、Ｃ４…シートサイズ判別手段、Ｃ５…温度異常告知手段、Ｃ５ａ…異常温度設定値記憶手段、Ｃ６…ヒータオフモード時温度異常告知禁止手段、Ｃ７…加熱シート搬送速度制御手段、Ｃ８…トナー像形成動作中断手段、Ｆ…定着装置、Ｆｈ…加熱回転部材、Ｆｈ，Ｆｐ…一対の定着ロール、Ｆｐ…加圧回転部材Ｐｋ〜Ｐｙ…感光体、Ｒｃ…第１接触ローラ、Ｓ…画像記録用のシート（または、加熱定着シート）、ＳＨ…シート搬送装置、ＳＨ１〜ＳＨ３…シート搬送路、ＳＮ１…中央部温度センサ、ＳＮ１＋ＳＮ２…定着領域温度センサ、ＳＮ２…端部温度センサ、Ｔ３…定着装置下流領域温度、Ｔ３ａ…所定の設定温度、ＴＭ…ジョブ時ヒータオフモード解除用タイマ、Ｕ…トナー画像形成装置、ＵＹ〜ＵＫ…トナー像形成装置、Ｒｐ，Ｒｓ，Ｒａ，Ｒｒ，ＨＢ…シート搬送部材、Ｑ４…転写領域、Ｑ５…定着領域、
【図１】
2006259329.tif 000003
【図２】
2006259329.tif 000004
【図３】
2006259329.tif 000005
【図４】
2006259329.tif 000006
【図５】
2006259329.tif 000007
【図６】
2006259329.tif 000008
【図７】
2006259329.tif 000009
【図８】
2006259329.tif 000010
【図９】
2006259329.tif 000011
【図１０】
2006259329.tif 000012
【図１１】
2006259329.tif 000013
【図１２】
2006259329.tif 000014
【図１３】
2006259329.tif 000015
【図１４】
2006259329.tif 000016
【図１５】
2006259329.tif 000017
【図１６】
2006259329.tif 000018
【図１７】
2006259329.tif 000019
【図１８】
2006259329.tif 000020
【図１９】
2006259329.tif 000021